(57)【要約】【課題】関係のない第三者が動かすことができないカバーのロック装置を提供する。【解決手段】レンチ（３）がカバー（１）にある開口（４）に挿入されて作動するロック装置であって、レンチ（３）が識別コード記憶手段（４０）を有し、レンチ（３）が開口（４）に挿入されたとき、カバー（１）に一体化された識別コード読取り手段（４１）により識別コードを読取り、カバー（１）に一体化された電子モジュール（４４）に予め記憶された識別コードと比較し、識別コード読取り手段（４１）で読まれた識別コードが、電子モジュール（４４）に予め記憶された識別コードと合致しないとき、カバー（１）の操作を不可能とする操作妨害部材４６によりロック（６）の操作できないようにしている。【選択図】図１
2009162045.tif 000002
【特許請求の範囲】
【請求項１】
レンチ（３）がカバー（１）にある開口（４）に挿入されて、カバー（１）と一体となるボルト（１４）を動かし、前記ボルト（１４）がフレーム（２）と一体となるフレーム突出部（３２）の下に係合するときロックされ、前記ボルト（１４）が前記フレーム突出部（３２）との係合から脱したときロックが解除されるフレーム（２）に対するカバー１のロック装置であって、
前記レンチ（３）が識別コード記憶手段（４０）を有し、前記レンチ（３）が前記開口（４）に挿入されたとき、前記カバー（１）に一体化された識別コード読取り手段（４１）により識別コードを読取り、前記カバー（１）に一体化された電子モジュール（４４）に予め記憶された識別コードと比較し、前記識別コード読取り手段（４１）で読まれた識別コードが、前記電子モジュール（４４）に予め記憶された識別コードと合致しないとき、前記カバー（１）の操作を不可能とする操作妨害部材４６によりロック部（６）の操作できないようにすることを特徴とするカバーのロック装置。
【請求項２】
前記レンチ（３）が、操作のためのアーム（７）を有し、前記アーム（７）の挿入先端部にはソケット（８）があって、前記レンチ（３）の操作で、前記ソケット（８）が回転可能に装備されたローター（１３）にあるシャフト端部（２８）と嵌合して、前記ボルト（１４）が前記フレーム突出部（３２）の下に係合させてロック状態とし、ボルト（１４）がフレーム突出部（３２）との係合を脱した位置をとるときロックが外れた状態にすることができることを特徴とする請求項１記載のカバーのロック装置。
【請求項３】
前記操作妨害部材（４６）が、レンチ（３）が開口（４）に挿入されたとき、ローター（１３）にある前記シャフト端部（２８）と前記ソケット（８）の間の動きを妨害するバー（４６）であることを特徴とする請求項１記載のカバーのロック装置。
【請求項４】
前記バー（４６）が、電気モーター（４８）で駆動され、かつカバー（１）に結合したピニオンギヤー（４９）と係合し、電子モジュール（４４）に制御されて動かされ、前記レンチ（３）の識別コードと電子モジュール（４４）に記憶された識別コードが合致しととき、前記シャフト端部（２８）とソケット（８）の接合を妨げがなくなることを特徴とする請求項３記載のカバーのロック装置。
【請求項５】
前記バー（４６）が、前記ローター（１３）の軸に対し直角方向で、前記カバー（１）の上壁に対し平行方向に延び、前記シャフト端部（２８）と前記ソケット（８）が接合を妨げがないで面することができる切り欠き部（４７）をもつことを特徴とする請求項４記載のカバーのロック装置。
【請求項６】
前記バー（４６）が、磁石棒であり、前記レンチ（３）の識別コードと前記電子モジュール（４４）に記憶された識別コードが合致したとき、前記電子モジュール（４４）により電気が送られた電磁気コイルによって、前記シャフト端部（２８）と前記ソケット（８）が嵌合できるようにすることを特徴とする請求項３記載のカバーのロック装置。
【請求項７】
前記バー（４６）が、前記シャフト端部（２８）と前記ソケット（８）の間の空間に突出ていることを特徴とする請求項３乃至６いずれか１項に記載のカバーのロック装置。
【請求項８】
前記識別コード記憶手段（４０）が、前記レンチ（３）に一体に結合したアンテナをもち、かつレンチ（３）に装着前に識別コードが記憶されたメモリーチップであり、前記識別コード読取り手段（４１）がアンテナ（５０）をもっていて、前記レンチ（３）が前記開口（４）に挿入されたとき、前記メモリーチップのアンテナと前記識別コード読取り手段（４１）のアンテナ（５０）が互いに面するようにして、前記識別コード読取り手段（４１）が、前記メモリーチップのアンテナからのラジオ周波数でレンチ（３）の識別コードを受取り、また前記電子モジュール（４４）にその情報を送って、前記レンチ（３）の識別コードと前記電子モジュール（４４）に記憶された識別コードを比較することを特徴とする請求項１乃至７いずれか１項に記載のカバーのロック装置。
【請求項９】
前記識別コード記憶手段（４０）と前記識別コード読取り手段（４１）の間が互いに離れた位置にあり、ラジオ周波数識別技術を用いて結ばれることを特徴とする請求項８記載のカバーのロック装置。
【請求項１０】
前記レンチ（３）が前記開口（４）に挿入されたことを感知し、かつ前記電子モジュール（４４）にシグナルを送ることができるセンサー（５２）が設置され、時間の遅れなしに前記レンチ（３）の識別コードを読み取れることを特徴とする請求項１乃至９いずれか１項に記載のカバーのロック装置。
【請求項１１】
前記センサー５２が、前記レンチ（３）が前記開口（４）の底部にあることを示すシグナルと、前記ソケット（８）と前記シャフト端部（２８）の間の前記操作妨害部材（４６）の情報を、前記電子モジュール（４４）に送ることを特徴とする請求項１乃至７いずれか１項に記載のカバーのロック装置。
【請求項１２】
さらに、前記ロック部（６）のロック状態を感知するセンサー（５３）と、前記カバー（１）の開閉を感知するセンサー（５４）をもつことを特徴とする請求項１乃至１０いずれか１項に記載のカバーのロック装置。
【請求項１３】
前記識別コード記憶手段（４０）が、読み書きのできるパッシブタイプチップであり、前記ロック部（６）のロック状態、前記カバー（１）の開放日時、前記レンチ（３）の数、前記電子モジュール（４４）に電気を送るバッテリー（Ｂ）の充電状態の一つ以上を書込みすることを特徴とする請求項８乃至１２のいずれか１項に記載のカバーのロック装置。
【請求項１４】
前記電子モジュール（４４）が、前記センサー（５３）により前記ボルト（１４）が前記フレーム突出部（３２）と係合してロック状態にあることを感知し、かつ前記センサー（５４）により前記カバー（１）の閉鎖位置にあることを感知しているときに、前記センサー（５２）により前記レンチ（３）を抜いた後にも前記レンチ（３）の存在を感知したとき、前記操作妨害部材（４６）を妨害位置にすることを特徴とする請求項１１または１２に記載のカバーのロック装置。
【請求項１５】
前記電子モジュール（４４）が、前記識別コード記憶手段（４０）からの識別コードを受けるアンテナ（５０）をもつＰＣＭＣＩＡタイプ読取りカード（５１）と連結することを特徴とする請求項８乃至１４いずれか１項に記載のカバーのロック装置。
【請求項１６】
前記電子モジュール（４４）が、前記電子モジュール（４４）とコミュニケーションでき、前記電子モジュール（４４）に記憶された識別コードの消去、追加、変更をすることができ、かつアラームシグナルを送信できるモニタリングステーション（５６）に接続されることを特徴とする請求項１乃至１５いずれか１項に記載のカバーのロック装置。
【請求項１７】
前記レンチ（３）が前記空間（５）の底部にまで達し、前記識別コード記憶手段（４０）と前記識別コード読取り手段（４１）の前記アンテナ（５０）が互いに面して位置し、前記識別コード記憶手段（４０）の識別コードと前記識別コード読取り手段（４１）が読取りした識別コードが合致しとときにのみ、前記ソケット（８）が前記シャフト端部（２８）に移動可能になって、カバー１の開放が可能となることを特徴とする請求項８乃至１６いずれか１項に記載のカバーのロック装置。
【請求項１８】
前記電子モジュール（４４）が、前記カバー（１）に接続したケース（４２）の中にあり、保護樹脂で固められていることを特徴とする請求項１乃至１７いずれか１項に記載のカバーのロック装置。
【発明の詳細な説明】
【技術分野】
【０００１】
本発明は、ロック装置に関し、特にレンチを使用してフレーム上のカバーを安全にロックしたりロックを外したりする装置に関するものである。  
【背景技術】
【０００２】
マンホールは、道路に結合したフレーム（固定枠）と、そのフレームを開閉するカバー（蓋）でなり、通常はカバーをして安全が図られている。この種のフレームを開閉するカバーをロックするロック装置としては、カバーの表面に露出している操作具を弾性に抗して押圧することによって、カバーの裏側に設置された係止具をマンホール用枠体から解除するもの（特許文献１参照）、カバーの表面に露出している操作具を回転することによって係止具をスウィングさせ、マンホール用枠体に係止したり、この係止状態を解除したりするもの（特許文献２参照特）が存在していたが、さらに，カバーに回転可能に係止具を設置し、係止具をフレームに係止させたり解除させたりするロック装置〔特許文献３参照〕、雨水や泥水に曝される劣悪な使用環境に耐えるとともに、必要充分なセキュリティー機能を有するようにしたロック装置〔特許文献４参照〕などの提案がなされている。また、レンチを使用してフレーム上のカバーをロックしたり外したりする装置で、レンチに接続してロック機構を設けたロック装置〔特許文献５、特許文献６参照〕の提案もある。
【０００３】
【特許文献１】特許第３２６９８８８号公報
【特許文献２】特開平１１−１５８９０１号公報
【特許文献３】特開２００８−２９７８５３号公報
【特許文献４】特開２００４−３４６６６２号公報
【特許文献５】フランス国特許公開２７８０９９６号明細書
【特許文献６】フランス国特許公開２８９８６１４号明細書
【発明の開示】
【発明が解決しようとする課題】
【０００４】
従来のロック装置は、関係のない第三者がこの装置を動かせることである。従って、本発明は、従来の装置の欠点を軽減することを目的とし、第三者が不正に動かすことのできないカバーのロク装置を提供することにある。
【課題を解決するための手段】
【０００５】
上記目的を達成すべく本発明は、レンチ（３）がカバー（１）にある開口（４）に挿入されて、カバー（１）と一体となるボルト（１４）を動かし、ボルト（１４）がフレーム（２）と一体となるフレーム突出部（３２）の下に係合するときロックされ、ボルト（１４）がフレーム突出部（３２）との係合から脱したときロックが解除されるフレーム（２）に対するカバー１のロック装置であって、レンチ（３）が識別コード記憶手段（４０）を有し、レンチ（３）が開口（４）に挿入されたとき、カバー（１）に一体化された識別コード読取り手段（４１）により識別コードを読取り、カバー（１）に一体化された電子モジュール（４４）に予め記憶された識別コードと比較し、識別コード読取り手段（４１）で読まれた識別コードが、電子モジュール（４４）に予め記憶された識別コードと合致しないとき、カバー（１）の操作を不可能とする操作妨害部材４６によりロック部（６）の操作できないようにしている。
【０００６】
レンチ（３）は、操作のためのアーム（７）を有し、アーム（７）の挿入先端部にはソケット（８）があって、レンチ（３）の操作で、ソケット（８）が回転可能に装備されたローター（１３）にあるシャフト端部（２８）と嵌合して、ボルト（１４）がフレーム突出部（３２）の下に係合させてロック状態とし、ボルト（１４）がフレーム突出部（３２）との係合を脱した位置をとるときロックが外れた状態にすることができる。
【０００７】
操作妨害部材（４６）が、レンチ（３）が開口（４）に挿入されたとき、ローター（１３）にあるシャフト端部（２８）とソケット（８）の間の動きを妨害するバー（４６）であることができる。このバー（４６）は、電気モーター（４８）で駆動され、かつカバー（１）に結合したピニオンギヤー（４９）と係合し、電子モジュール（４４）に制御されて動かされ、レンチ（３）の識別コードと電子モジュール（４４）に記憶された識別コードが合致しととき、シャフト端部（２８）とソケット（８）の接合を妨げがなくなるようにするのがよい。
【０００８】
バー（４６）が、ローター（１３）の軸に対し直角方向で、カバー（１）の上壁に対し平行方向に延び、シャフト端部（２８）とソケット（８）が接合を妨げがないで面することができる切り欠き部（４７）をもつことができる。
【０００９】
また、バー（４６）が、磁石棒であり、レンチ（３）の識別コードと電子モジュール（４４）に記憶された識別コードが合致したとき、電子モジュール（４４）により電気が送られた電磁気コイルによって、シャフト端部（２８）とソケット（８）が嵌合できるようにすることができる。
【００１０】
また、バー（４６）が、シャフト端部（２８）とソケット（８）の間の空間に突出ている形態とするのがよい。
【００１１】
識別コード記憶手段（４０）は、レンチ（３）に一体に結合したアンテナをもち、かつレンチ（３）に装着前に識別コードが記憶されたメモリーチップであり、識別コード読取り手段（４１）がアンテナ（５０）をもっていて、レンチ（３）が開口（４）に挿入されたとき、メモリーチップのアンテナと識別コード読取り手段（４１）のアンテナ（５０）が互いに面するようにして、識別コード読取り手段（４１）が、メモリーチップのアンテナからのラジオ周波数でレンチ（３）の識別コードを受取り、また電子モジュール（４４）にその情報を送って、レンチ（３）の識別コードと電子モジュール（４４）に記憶された識別コードを比較することで使用できるレンチ（３）を特定できる。
【００１２】
識別コード記憶手段（４０）と識別コード読取り手段（４１）の間が互いに離れた位置にあり、ラジオ周波数識別技術を用いて結ぶことができる。
【００１３】
本発明のロック装置には、レンチ（３）が開口（４）に挿入されたことを感知し、かつ電子モジュール（４４）にシグナルを送ることができるセンサー（５２）が設置され、時間の遅れなしにレンチ（３）の識別コードを読み取れるようにすることができる。さらに、センサー５２は、レンチ（３）が開口（４）の底部にあることを示すシグナル以外に、ソケット（８）とシャフト端部（２８）の間の操作妨害部材（４６）の情報を、電子モジュール（４４）に送ることができるようにするのがよい。
その他、例えば、ロック部（６）のロック状態を感知するセンサー（５３）、カバー（１）の開閉を感知するセンサー（５４）をもつことができる。
【００１４】
識別コード記憶手段（４０）が、読み書きのできるパッシブタイプチップであり、ロック部（６）のロック状態、カバー（１）の開放日時、レンチ（３）の数、電子モジュール（４４）に電気を送るバッテリー（Ｂ）の充電状態の一つ以上を書込みすることができるようにする。
【００１５】
電子モジュール（４４）が、センサー（５３）によりボルト（１４）がフレーム突出部（３２）と係合してロック状態にあることを感知し、かつセンサー（５４）によりカバー（１）の閉鎖位置にあることを感知しているときに、センサー（５２）によりレンチ（３）を抜いた後にもレンチ（３）の存在を感知したとき、操作妨害部材（４６）を妨害位置にするようにする。
【００１６】
電子モジュール（４４）が、識別コード記憶手段（４０）からの識別コードを受けるアンテナ（５０）をもつＰＣＭＣＩＡタイプ読取りカード（５１）と連結することができる。
【００１７】
電子モジュール（４４）が、電子モジュール（４４）とコミュニケーションでき、電子モジュール（４４）に記憶された識別コードの消去、追加、変更をすることができ、かつアラームシグナルを送信できるモニタリングステーション（５６）に接続されるのがよい。
【００１８】
レンチ（３）が空間（５）の底部にまで達し、識別コード記憶手段（４０）と識別コード読取り手段（４１）のアンテナ（５０）が互いに面して位置し、識別コード記憶手段（４０）の識別コードと識別コード読取り手段（４１）が読取りした識別コードが合致しとときにのみ、ソケット（８）がシャフト端部（２８）に移動可能になって、カバー１の開放が可能となる。
【００１９】
電子モジュール（４４）が、カバー（１）に接続したケース（４２）の中にあり、保護樹脂で固められているのが好ましい。
【発明を実施するための最良の形態】
【００２０】
以下図面を参照して本発明を詳細に説明する。
図１は、本発明によるロック装置をもつマンホールに使用するカバーの一部斜視図である。図２は、図１におけるラインＩＩ−ＩＩでの断面図であり、レンチがロック部にあるボルトを操作できない位置にしている状態を示しており、図３は、図２におけるラインＩＩＩ−ＩＩＩでの断面図である。図４は、図２と同様の断面図であり、レンチが、ロック部にあるボルトを操作できる位置にある状態を示しており、図５は、図４におけるラインＶ−Ｖでの断面図である。
図６は、カバーの一部と、本発明のロック装置を下からみた斜視図であり、図７は、図６における矢ＶＩＩの方向からの側面図である。図８は、図２における矢ＶＩＩＩの方向からの平面図、図９は、図４における矢ＩＸの方向からの平面図である。図１０は、ロック装置における操作妨害部材の例を示す斜視図である。そして、図１１は、本発明のロックを開閉するエレクトロニクスのブロックダイヤグラムである。
【００２１】
本発明のロック装置は、マンホールの開口を制限するフレーム２を閉じることができるカバー１を意図している。しかし、この装置は、マンホール以外の装置のカバーをロックするに適用できる。
【００２２】
ロック装置を操作するには、以下に述べるようにレンチ３を用いて行う。
カバー１の上壁１ａは、通常、本質的に平面で、カバー１の外側から内部の空間５に通じる開口４があり、空間５にカバー１のロック部６が位置することになる。
レンチ３には操作のためのアーム７があり、その開口４に挿入される側の先端部にはソケット８が付いている。アーム７は四角断面の平板状で、アームの長さ方向軸とソケット８の長さ方向軸は直交している。ソケット８は、凹部８ａを有して、その形状は図１では四角形に描いているが、六角形など別の形状でもよい。開口４は、レンチ３が挿入されるためのもので、カバー１の平板９で一部覆われてＬ字形になっている。
【００２３】
平板９の下に位置する空間５は、カバー１の上壁１ａから垂直な中間壁１０と、空間５の中でレンチ３を導くための傾斜壁１１で仕切られている。傾斜壁１１の、一側、開口４の一側４ａの下にガイド溝１２が中間壁１０と平行に形成され、レンチ３が開口４に挿入しようとするとき、先ずソケット８がガイド溝１２に嵌入され、レンチ３のアーム７の平板部分が傾斜壁１１の上に載ってガイドされ、空間５の底にスライドされていく。
【００２４】
カバー１のロック部６は、一端にボルト１４のあるローター１３を、カバーの上壁１ａと平行となる軸の周りを回転できるように装着される。  
ローター１３は、中間壁１０にある穴１６の中で回転できるようにシリンダー状のシャフト１５と、カバー１の上壁１ａに連結して中間壁１０と平行な第２壁１９にある穴１８の中で回転するようにシリンダー状の結合部材１７を有している。結合部材１７には、中間壁１０とは反対方向に第２壁１９を突き抜けた部分にボルト１４をもっている。
【００２５】
結合部材１７は、中間壁１０と第２壁１９の２つの壁の間に位置して、小さな径のシリンダー部２０を有している。ローター１３にあるシャフト１５は、シリンダー部２０の内部空間２１にあり、シャフト１５の平面部分２２と内部空間２１の平面部分２３が合わさって位置し、さらに、シャフト１５とシリンダー部２０は、ネジ２４がシリンダー部２０の穴２０ａからシャフト１５にある穴１５ａを突き抜けていることで連結されて、シャフト１５とボルト１４が共動して回転できるようになっている。
【００２６】
結合部材１７のシリンダー部２０には、その長さ方向と直交する方向に延びて切り込んだ平面部分２５があり、その平面部分２５に、シリンダー部２０に対し垂直に延びるロック操作部材２６の端部が合わせて置かれる。
平面部分２５は、底部を平面にして、その平面の上にロック操作部材２６を載せ、ネジ２４の先端をロック操作部材２６の端部に形成された穴２６ａに迄通して固定するのがよい。このように、ロック操作部材２６は、シリンダー部２０と、最終的にローター１３と連結されることになる。
【００２７】
ロック操作部材２６は、このように一端がシリンダー部２０と結合するが、シリンダー部２０とは反対の端部２６ｂは、直角に曲り、曲った先端はカバー１の上壁１ａの内面に接してロックされた位置を保持するように作用する。ロック操作部材２６の直角に曲った端部２６ｂの側部には、鎖２７、あるいは線などを取付けることができる。
【００２８】
シャフト１５のボルト１４とは反対のシャフト端部２８は、ワッッシャー２９を挟んで中間壁１０の内面（空間５の側）にあって、断面が四角形状で、空間５内部に突出し、ソケット８の凹部８ａに嵌入される。
【００２９】
シャフト１５には、結合部材１７にあるシリンダー部２０と、中間壁１０の外表面（空間５の外側）にあるワッシャー３１との間に、螺旋形のトーションスプリング３０を装着する。このとき、シャフト端部２８、ワッシャー２９，３１およびトーションスプリング３０は、それぞれローター１３と垂直になるようにする。
【００３０】
トーションスプリング３０の一端３０ａは、直角に曲げられてロック操作部材２６の表面に載り、他端３０ｂは、同様直角に曲げられてカバー１の上壁１ａの内面に接している。これらの両端３０ａ、３０ｂは互いに平行である。トーションスプリング３０は、圧縮した状態で装着して、その力が常にロック操作部材２６の端部２６ｂがカバー１の上壁１ａの下面に接する方向に作用している。
【００３１】
このように、結合部材１７のシリンダー部２０、ロック操作部材２６、トーションスプリング３０およびワッシャー３１が組合さって、中間壁１０と第２壁１９の間に位置することになる。ボルト１４は、フレーム２から内部に突出するフレーム突出部３２と係合し、カバー１をロック位置にする、あるいはフレーム突出部３２との係合を脱してロックを外すことができる。すなわち、フレーム２から突出したフレーム突出部３２の端部は、カバー１のリブ１ｂとの間に空間を作っていて、この空間は、カバー１とフレーム２とのロックを外すとき、ボルト１４部分がフレーム突出部３２との係合を脱するために回転できる場となる。
【００３２】
次に、本発明のロック装置を、操作する面から説明する。
ここでは、カバー１がロック部６によってフレーム２にロックされている状態から説明する。このときローター１３は、トーションスプリング３０によってロック操作部材２６の端部２６ｂをカバー１の下面に接し、ボルト１４は、図２，４，５に示すようにフレーム２のフレーム突出部３２の下にある。 
【００３３】
この状態から、レンチ３を開口４を通して空間５に挿入する。この挿入は、図１に示すように、ソケット８をガイド溝１２に嵌め、アーム７の平坦端部が傾斜壁１１の上をスライドするようにして、ソケット８が空間５の底に達するまで押し込むようにする。挿入が終わった状態では、アーム７が、平板９の開口４の斜面壁４ｂと相対する側の端部９ａの間にある。
【００３４】
このとき、レンチ３は、空間５の底にあるソケット８をローター１３のシャフト端部２８の方向に動かしてソケット８とシャフト端部２８を嵌合させること以外は動けない。図２と４には、ソケット８とシャフト端部２８との嵌合する途中の状態を示している。
【００３５】
ソケット８を移動させてシャフト端部２８と嵌合させると、レンチ３の操作アーム７は、開口４のうちの中間壁１０と平行する側の壁４ａと一直線になり、Ｌ字型の開口４の壁４ａに沿って動かせるようになり、レンチ３により、シャフト１５、シリンダー部２０、ロック操作部材２６、結合部材１７、さらにボルト１４でなる組合せ部分を回転させることができる。そして、ボルト１４を回転させることでボルト１４をフレーム突出部３２とリブ１ｂの間の空間に移動させ、ボルト１４とフレーム突出部３２との係合を解除することができる。図３，６、７は、ボルト１４がフレーム突出部３２との係合から解除された状態を示している。
【００３６】
このように、ボルト１４をフレーム突出部３２の下にないようにすることで、カバー１にあったフレーム２の直接の拘束がなくなり、カバー１を持ち上げればフレーム２から離れて移動させることができる。
【００３７】
また、逆に、カバー１が外れた状態から、カバー１をフレーム２の上に置くと、トーションスプリング３０によりローター１３を自動的にロック位置に戻す。レンチ３も、トーションスプリング３０により自動的に回転して、アーム７が開口４のＬ字型斜面に沿った角度で開口４に位置するようになる。この状態でレンチ３は、カバー１から引抜くことができるようになる。
【００３８】
カバー１は、レンチ３を空間５に挿入し、回転することで、ボルト１４をフレーム突出部３２とリブ１ｂの間の空間にしてローター１３のロックが外れた位置にすることができる。しかし。レンチ３を抜くと、トーションスプリング３０により、ボルト１４をフレーム突出部３２の下の位置に動かし、ロック状態になる。
【００３９】
レンチ３は、カバー１から抜くことができる。しかし、カバー１をフレーム２から取った後でレンチ３を抜くと、トーションスプリング３０によりロック状態にし、ボルト１４がフレーム突出部３２と重なるのでそのカバー１はフレーム２に戻すことができない。カバー１をフレーム２に戻すには、レンチ３を開口４に挿入しておかなければならない。
【００４０】
ロック操作部材２６には、鎖２７（あるいは線など）が取付けられており、これは、マンホールの中からロック操作部材２６を操作することができるようにするためで、鎖２７を引くことでローター１３の回転が可能になり、ボルト１４をロック解放位置にすることができる。
ロック操作部材２６は、トーションスプリング３０によりその曲った端部２６ｂをカバー１の下面に接するようにし、また、ボルト１４をフレーム突出部３２の下にあるようにしている。
【００４１】
以上述べたように、本発明のロック装置では、レンチ３をカバー１のロック部６と関連して動くようにし、レンチ３にあるソケット８がシャフト端部２８と嵌合してボルト１４を回転させ、カバー１をフレーム２とのロックを外すことができる。
【００４２】
本発明では、このレンチ３に識別コードを付けて、不正な第三者の使用をなくすことを目的にしている。そのために、レンチ３が識別コードをもつ識別手段４０を有し、レンチ３がカバー１の開口４を通ってその下の空間５の底に達したとき、カバー１と一体に取付けられた識別コード読取り手段４１により識別コードを読取り、予め電子モジュール４４に記憶させた識別コードと比較し、二つの識別コードが合致したときにのみレンチ３が作動するようにする。
【００４３】
すなわち、識別コード読取り手段４１により読まれたレンチ３の識別コードが、電子モジュール４４に記憶されたコードと一致するとき、レンチ３にあるソケット８を移動させてローター１３のシャフト端部２８と嵌合させることができる。逆に、レンチ３が識別コードと電子モジュール４４に記憶させた識別コードが合致しないとき、ソケット８がシャフト端部２８に嵌合する迄移動できないように、操作妨害部材を設けている。
【００４４】
操作妨害部材の代表的な具体例は、断面が四角形状のバー４６で、ローター１３の長さ方向軸に対し垂直な方向で、上壁１ａと平行にガイドされ滑るように装着される。そして、バー４６の一部が、シャフト端部２８とソケット８との間を、空間５を横切って移動できるようにしている。図１０にバー４６図示でわかるように、バー４６の一部に切り欠き部４７を設け、切り欠き部４７でのみソケット８のシャフト端部２８への接近を可能にしている。図４、５では、ソケット８とシャフト端部２８の間に切り欠き部４７が一直線に並び、ソケット８がシャフト端部２８の動くことができ、互いに嵌合できる。
【００４５】
図２、３に示した位置では、バー４６の切り欠き部４７が、ソケット８とシャフト端部２８と一直線になっていないので、バー４６によりソケット８が移動できず、従ってロック操作をすることができない。
【００４６】
バー４６を操作妨害部材として、妨害位置または妨害しない位置と移動させるために、この例では、バー４６の一側に、バー４６の長さ方向と直交する方向に複数の溝を形成させている。そして、バー４６の移動の駆動として、ピニオンギヤー４９をもつモーター４８を用意し、バー４６にある溝とピニオンギヤー４９の噛み合わせでモーター４８の回転でバー４６を移動させる。このとき、モーター４８を別途電子モジュール４４と結ぶことによって、モーター４８、そしてバー４６の動きをコントロールすることができる。
【００４７】
操作妨害部材の別の実施形態によれば、操作妨害部材は、磁石棒で作ることができる。この場合、電磁コイルと磁石棒４６をカバー１に装備し、電磁コイルを外部電源に接続し、電子モジュール４４により電磁コイル、さらに磁石棒をコントロールできる。磁石棒は、ソケット８とシャフト端部２８の間にきたときソケット８の移動を妨げ、ソケット８とシャフト端部２８の間にないときソケット８がシャフト端部２８と嵌合できる。
【００４８】
本発明の好ましい実施形体によれば、レンチ３には、識別コードを付しアンテナを一体化した識別コード記憶手段４０を取付ける。識別コード記憶手段４０の一例は、メモリーチップであり、アーム７に埋め込む、あるいは糊付けして固定する。一方、識別コードを読み取るために、識別コード読取り手段４１は、アンテナ５０をもち、カバー１の平板９に取付け、電子モジュール４４に送信できるように連結させておく。識別コード記憶手段４０が識別コードを電波で発すると、識別コード読取り手段４１のアンテナ５０がこの電波を捕らえて、識別コードを読取り、電子モジュール４４に送信する。電子モジュール４４では、予め特定の識別コードを記憶しており、メモリーチップ４０の識別コードと記憶していた識別コードを照合することになる。
【００４９】
レンチ３にある識別コード記憶手段４０は、ラジオ周波数識別技術（ＲＦＩＤ）として知られた技術を採用することもできる。
【００５０】
識別コード記憶手段４０からのシグナルは、識別コード読取り手段４１で解読し、電子モジュール４４において予め記憶した識別コードと比較する。そのシグナルは、電気モーター４８に送られ、ソケット８とシャフト１５の端部２８の接近を妨げる操作妨害部材を移動させて、二つの識別コードが合致したときにのみソケット８とシャフト端部２８が接することができるようにする。
【００５１】
ラジオ周波数識別技術（ＲＦＩＤ）では、アンテナを備えた識別コード読取り装置（コードリーダー）を使用することができる。それらのうちの１つはコンパクトフラッシュ（登録商標）タイプのメモリーカード４５の使用である。本発明では、識別コードをレンチ３のチップ４０にもたせ、他方、アンテナ５０をもつＰＣＭＣＩＡタイプの識別コード読取り装置５１で識別コードを読んでいる。
【００５２】
好ましくは、識別コード記憶手段４０が、読み書きのできるパッシブタイプチップであり、ロック部のロック状態、カバー１の開放日時、レンチ３の数、電子モジュール４４に電気を送るバッテリーＢの充電状態などを書込みすることができるようにする。
【００５３】
また、カバー１にある空間５の底に、センサー５２を装備し、レンチ３が挿入されて空間５の底に達したときに感知するのがよい。このとき、そのセンサー５２は、マイクロコンタクターで、電線で電子モジュール４４に接続させる。マイクロコンタクターは、例えば、カバー１にレンチ３がないときには回路は開き、レンチ３があるときに回路を閉じるようにする。
【００５４】
本発明のロック装置は、さらに、ボルト１４のロック状態を感知するセンサー５３をもつことができる。さらに、カバー１がフレーム２に対しロックの位置か、ロックが開放された位置かを感知するセンサー５４をもつこともできる。このようなセンサー５３、５４は、電子モジュール４４に接続し、またさらにマイクロコンタクターと結びつけておく。
【００５５】
センサー５３は、フレーム２にあるフレーム突出部３２の下部に置くことができ、ボルト１４がフレーム突出部３２と係合しているときカバー１がフレーム２にロック状態にあり、電子モジュール４４を経てマイクロコンタクターは閉じた回路を形成し、ボルト１４がロック状態から外れたとき、マイクロコンタクターは開いた回路となるようにする。
【００５６】
電子モジュール４４は、バッテリーＢから電気が供給され、バッテリーＢはケース４２内に設置することもできる。そして、電子モジュール４４は、カバー１に接続したケース４２内に装備し、保護樹脂で固めて一体化するのがよい。
【００５７】
また、電子モジュール４４は、図１１の二重矢印５５で示したように離れたモニタリングステーション５６に置いて、コンピューターで制御してもよい。コンピューターは、光ケーブルやＧＰＲＳ−タイプ連結でネットワークを作り、コミュニケーションは、光ファイバー、あるいはＧＰＲＳタイプリンクするネットワークを使用して行うこともできる。
【００５８】
以上述べたことを要約すると、レンチ３を開口４に挿入すると、ソケット８が空間５の底部に達し、センサー５２がレンチ３の存在を感知し、電子モジュール４４にその存在を送信する。電子モジュール４４では、このとき受けたレンチ３の識別コードと、電子モジュールに記憶された識別コードと比較する。この二つの識別コードが合致しないとき、操作妨害部材がブロック位置となりソケット８がシャフト端部２８に近づくことが出来ず、必要により電子モジュール４４から離れたモニタリングステーション５６にその状況を送り、別途アラームを発するようにすることができる。
【００５９】
一方、二つの識別コードが合致したときには、電子モジュール４４は電気モーター４８にシグナルを送り、操作妨害部材であるバー４６を移動をさせ、バー４６の切り欠き部４７をシャフト１５にあるシャフト端部２８のある場所にしてソケット８とシャフト端部２８が嵌合できるようにする。これにより、ボルト１４の回転ができ、ボルト１４がフレーム突出部３２の下から抜け出てロック状態からで解放することができるようになる。
【００６０】
その他、何らかの異常があれときは、モニタリングステーション５６にこれを送信し、アラームを作動させることができる。アラームは、特に限定するものではないが、通常、音、あるいはランプなど視覚に訴えるものである。
【００６１】
電子モジュール４４は、マイクロプロセッサータイプで、モーター４８の動きで操作妨害部材であるバー４６の移動を制御できる。操作妨害部材は、バー４６の移動方式以外に、電磁コイルにより制御する磁石棒、あるいはその他ソケット８とシャフト端部２８の間に障害物をあるかないかにしたオン−オフ方式でもできるが、いずれもマイクロプロセッサーで制御して行うことができる。
【００６２】
レンチ３が損傷したり、あるいは紛失したりした場合には、モニタリングステーション５６は、電子モジュール４４に記憶した識別コードを削除、変更することができる。
【図面の簡単な説明】
【００６３】
【図１】本発明によるロック装置をもつマンホールを閉じるに使用するカバーの一部斜視図である。
【図２】図１におけるラインＩＩ−ＩＩでの断面図であり、レンチがロック部にあるボルトを操作できない位置にしている状態を示している。
【図３】図２におけるラインＩＩＩ−ＩＩＩでの断面図である。
【図４】図２と同様の断面図であり、レンチが、ロック部にあるボルトを操作できる位置にある状態を示している。
【図５】図４におけるラインＶ−Ｖでの断面図である。
【図６】カバーの一部と、本発明のロック装置を下からみた斜視図である。
【図７】図６における矢ＶＩＩの方向からの側面図である。
【図８】図２における矢ＶＩＩＩの方向からの平面図である。
【図９】図４における矢ＩＸの方向からの平面図である。
【図１０】レンチをこの装置のロックの位置にいくことを妨げる操作妨害部材の例で、断面が四角形状のバーの斜視図である。
【図１１】本発明のロック装置を開閉するエレクトロニクスのブロックダイヤグラムである。
【符号の説明】
【００６４】
１：カバー
１ａ：（カバー１の）上壁
１ｂ：（カバー１の）リブ
２：フレーム
３：レンチ
４：開口
４ａ，４ｂ：（開口４の）側面
５：空間
６：ロック部
７：（操作のための）アーム
８：ソケット
８ａ：（ソケット８にある）凹部
９：（カバー１を構成する平板）
１０：中間壁
１１：傾斜壁
１２：ガイド溝
１３：ローター
１４：ボルト
１５：シャフト
１５ａ：（シャフト１５にある）穴
１６：（中間壁１０にある）穴
１８：（第２壁１９にある）穴
１９：第２壁
２０：（結合部材１７にある小さな径の）シリンダー部
２０ａ：（シリンダー部２０の）穴
２１：（シリンダー部２０の）内部空間
２２：（シャフト１５の）平面部分
２３：（内部空間２１の）平面部分
２４：ネジ
２５：（シリンダー部２０に切り込んだ）平面部分
２６：ロック操作部材
２６ｂ：（ロック操作部材２６の）端部
２７：鎖
２８：シャフト端部
２９、３１：ワッシャー
３０：トーションスプリング
３０ａ、３０ｂ：（トーションスプリング３０の）端部
３２：フレーム突出部
４０：識別コード記憶手段（メモリーチップ）
４１：識別コード読取り手段
４２：ケース
４４：電子モジュール
４５：（コンパクトフラッシュ（登録商標）タイプの）メモリーカード
４６：操作妨害部材（バー）
４７：（バーにある）切り欠き部
４８：電気モーター
４９：ピニオンギヤー
５０：アンテナ
５１：（ＰＣＭＣＩＡタイプ）読取りカード
５２、５３、５４：センサー
５６：モニタリングステーション
Ｂ：バッテリー
【図１】
2009162045.tif 000003
【図２】
2009162045.tif 000004
【図３】
2009162045.tif 000005
【図４】
2009162045.tif 000006
【図５】
2009162045.tif 000007
【図６】
2009162045.tif 000008
【図７】
2009162045.tif 000009
【図８】
2009162045.tif 000010
【図９】
2009162045.tif 000011
【図１０】
2009162045.tif 000012
【図１１】
2009162045.tif 000013